(57)【特許請求の範囲】
【請求項１】
振出形式で複数の竿体を連結してなる釣竿であって、
リールを装着可能なリールシートを周面に有すると共に穂先側端部内周面に嵌合雌部を有する大径竿体と、
前記大径竿体の穂先側に振出形式で連結され、前記大径竿体の穂先側に引き出された延伸状態及び前記大径竿体内部に収納された収納状態の２つの状態でそれぞれ前記大径竿体の穂先側に連結して固定可能であり、前記延伸状態で前記嵌合雌部に嵌着する第１嵌合雄部を竿元側端部の外周面に有し、前記収納状態で前記嵌合雌部に嵌着する第２嵌合雄部を穂先側の外周面に有する小径竿体と、
前記小径竿体の前記第１嵌合雄部と第２嵌合雄部との間の外周面に固定された釣糸ガイドとを備え、
前記大径竿体には前記収納状態に至るまで前記釣糸ガイドが穂先側端部より竿元側へ侵入可能なように軸方向に伸びる割が形成されている、釣竿。
【請求項２】
前記大径竿体の割に合致する軸方向の割部分が形成された保護パイプが、前記大径竿体の穂先側端部外周面に配置されている、請求項１に記載の釣竿。
【発明の詳細な説明】
【０００１】
【発明の属する技術分野】
本発明は、振出形式で連結される複数の竿体を有する釣竿に関する。詳しくは、特定の竿体同士を収納状態及び延伸状態の何れにおいても相互に連結固定可能とし、竿全体の長さを変化させて釣りを行えるように工夫した釣竿に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿は、例えば、穂先側端部内周面に嵌合雌部を有する元竿と、竿元側端部外周面に第１嵌合雄部を有しつつ長手方向中央付近の外周面に第２嵌合雄部を有する元上竿とを備える。
そして、この種の釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることが可能となっている。
【０００４】
こうして、元竿と元上竿とは「延伸状態」，「収納状態」のいずれの状態においても互いに嵌合固定可能であり、状況に応じて竿全体の長さを変化させて釣りを行える。
【０００５】
【発明が解決しようとする課題】
ところで、釣竿の外周面にはリールからの釣糸を案内するための釣糸ガイドが軸方向に間隔を隔てて設けられている。このような釣糸ガイドを適度な軸方向間隔で配置することで、釣糸を円滑に案内しているのである。
しかし、従来の竿全体の長さを変化させて釣りを行えるように工夫した釣竿では、延伸状態と収納状態とに於いて竿体の軸方向長さに変化が生じる為に、釣糸ガイド間の軸方向間隔に変化が生じる。特に、リールが取り付けられた元竿と元上竿との間で長さ調整を図るような釣竿にあっては、リールとリールから導出される釣糸が最初に案内される最も竿元側の釣糸ガイドとの間の軸方向距離に変化を生じせしめるため特別に配慮が必要となる。何故なら、この間の軸方向距離が不当に広がってしまうと、釣糸の糸ふけ，釣糸の竿体周面へのべたつき，リールへの巻き取り作業への阻害等、種々の問題が生じ得るからである。
【０００６】
また、釣糸ガイドを周面に配置した釣竿においては、竿体同士の周方向性も重要である。即ち、上述のように釣糸ガイドを竿体の周面に配置した場合、リールシート上のリール，釣糸ガイド，他の釣糸ガイドと順次周方向に一致した位置に存在することが、円滑な釣糸の導出入の為に必要である。そして、従来の竿全体の長さを変化させて釣りを行えるように工夫した釣竿では、延伸状態と収納状態とで竿体を出し入れするため、その都度、竿体の周方向性に釣人が留意してその調整を図る必要が生じる。
【０００７】
本発明の課題は、釣竿全体の長さを調整しつつ、円滑な釣り操作を可能とする釣竿を提供することにある。
【０００８】
【課題を解決するための手段】
発明１の釣竿は、振出形式で複数の竿体を連結してなる釣竿であって、リールを装着可能なリールシートを周面に有すると共に穂先側端部内周面に嵌合雌部を有する大径竿体と、大径竿体の穂先側に振出形式で連結され、大径竿体の穂先側に引き出された延伸状態及び大径竿体内部に収納された収納状態の２つの状態でそれぞれ大径竿体の穂先側に連結して固定可能であり、延伸状態で嵌合雌部に嵌着する第１嵌合雄部を竿元側端部の外周面に有し、収納状態で嵌合雌部に嵌着する第２嵌合雄部を穂先側の外周面に有する小径竿体とを備える。この小径竿体の第１嵌合雄部と第２嵌合雄部との間の外周面には釣糸ガイドが固定されている。そして、大径竿体には収納状態に至るまで釣糸ガイドが穂先側端部より竿元側へ侵入可能なように軸方向に伸びる割が形成されている。
【０００９】
この釣竿では、延伸状態及び収納状態の何れにおいても釣りを行うことができる。延伸状態においては、小径竿体の第１嵌合雄部を大径竿体の嵌合雌部に嵌合させて固定する。一方、収納状態においては、小径竿体の所定位置の周面にある第２嵌合雄部を大径竿体内の嵌合雌部に嵌合させて固定する。
この小径竿体との周面には釣糸ガイドが配置されており、延伸状態においては、この釣糸ガイドは大径竿体の穂先側に引き出されて外部に露出している小径竿体の周面で、リールからの釣糸を案内している。一方、収納状態においては、この釣糸ガイドは大径竿体の割内に侵入して大径竿体の穂先側端部より竿元側へ移動し、割部から大径竿体の外部に露出してリールからの釣糸を案内する。
【００１０】
このように、この釣竿では延伸状態においても小径竿体の第１嵌合雄部より竿元側の周面に釣糸ガイドが配置されており、リールと釣糸ガイド（最も竿元側に位置する釣糸ガイド）との間の軸方向距離が適度な距離に保たれる。また、この釣糸ガイドが大径竿体の割内に侵入しつつ小径竿体が大径竿体内に収納されるので、大径竿体と小径竿体との周方向性も自然に決定される。
【００１１】
発明２の釣竿は、発明１の釣竿であって、大径竿体の割に合致する軸方向の割部分が形成された保護パイプが、大径竿体の穂先側端部外周面に配置されている。
この釣竿では、割が形成された大径竿体の穂先側部分の強度低下を保護パイプが補強する。また、大径竿体の穂先側部分のたわみも防止する。この保護パイプは金属、硬質合成樹脂等周知の素材から構成可能である。また、保護パイプの軸方向長さも任意に設定可能であり、割部が形成された軸方向範囲全体に保護パイプを配置してもよいが、大径竿体の穂先側端部の一部分のみに保護パイプを配置してもよい。
【００１２】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に順次振出形式で連結される、元上竿２，第１中竿３，第２中竿４及び穂先竿５とを有している。これら元竿１〜穂先竿５は炭素繊維またはガラス繊維等に合成樹脂を含浸させたプリプレグから形成される先細り筒状部材であって、第１中竿２〜穂先竿５は穂先側から順次竿元側の竿体の内部に挿入され出し入れ自在である。なお、竿体の数は任意に設定するものであり、５本に限定されるものではない。
【００１３】
元竿１は、外周面に形成されリール（図示せず）を脱着自在に装着可能なリールシート６を有し、竿元側端部には尻栓７が脱着自在に装着されている。このリールシート６は別途合成樹脂等で形成されたパイプ状の部材を所定の位置に配置して固定して形成されている。また、元竿１の竿元側端部内周面には雌ねじ部材が配置され、ここに尻栓７が脱着自在に螺合している。さらに、元竿１の穂先側端部内周面は他の部分に比べてやや小径に設定されて嵌合雌部となっている。
【００１４】
また、図２及び図３に詳しく示すように、元竿１の穂先側端部からリールシート６付近迄にかけての外周面には、周方向の一部に軸方向に伸びる割１ａが形成されている。この割１ａは、後述のように、第１釣糸ガイド１０が侵入可能なものであって、その軸方向長さは元上竿２の第２嵌合雄部２ａと第１釣糸ガイド１０との距離に合わせて調整される。
【００１５】
図２及び図３に詳しく示すように、元上竿２は、元竿１の穂先側に連結された先細りテーパが形成された竿体である。竿元側端部外周面に第１嵌合雄部（図示せず）を有すると共に、穂先側の内周面に第２嵌合雄部２ａを有している。第２嵌合雄部２ａは肉盛などによって他の部分よりやや大径化した部分であり、必要に応じて金属リング等が配置されている。そして、それぞれの嵌合雄部を元竿１の嵌合雌部と嵌着させて、収納状態と延伸状態とに於いて相互に固定可能となっている。なお、特に図示しないが、元竿１の尻栓７に隣接する元竿１の内部にストッパーリングを配置し、収納状態においてはこのストッパーリングで元上竿２の竿元側端部を固定するようにしてもよい。
【００１６】
また、元上竿２の第２嵌合雄部２ａより竿元側の外周面と、元上竿２の穂先側端部外周面とには、それぞれ第１釣糸ガイド１０と第２釣糸ガイド２０とが固定されている。
第１釣糸ガイド１０は、図４に示すように、元上竿２の外周面に固定される固定部１１と、固定部１１から元上竿２の周面より起立し頭端に開口を有する本体部１２と、本体部１２の頭端の元上竿２の軸方向に形成された開口に嵌め込まれたセラミックス等の硬質部材からなるガイドリング１３とを有している。
【００１７】
この固定部１１は元上竿２が貫通した状態でその周面に配置されるパイプ型のものであり、接着剤等によって元上竿２に固定されている。この第１釣糸ガイド１０の固定部１１は収納状態で元竿１内に収納されてゆくものであるから、元上竿２のテーパ変化によって生じる元上竿２と元竿１との径差によって生じるスペースに収まる範囲で設計する必要がある。なお、この固定部１１の形状はこのようなパイプ型に限定されるものではなく、固定部１１を元上竿２の周面に当接する板状のものとして巻糸等で元上竿２の周面に固定してもよい。必要に応じてこの巻糸は合成樹脂等でコーティングする。なお、上述の元竿１と元上竿２との径差によるスペースとの関係で、この固定部１１を配置する元上竿２の周面に部分的に凹入する溝を形成し、この溝内に固定部１１を配置するような手法を採用することも可能である。
【００１８】
本体部１２は、固定部１１より起立する柱状の部分であるが、その幅は上述の元竿１の溝1aに挿入可能な程度に設定する。また、ガイドリング１３は釣糸が挿通するリングであり、耐摩耗性向上のためにセラミックスなどが素材として採用される。
一方、第２釣糸ガイド２０も、第１釣糸ガイド１０と同様に、固定部２１、脚部２２，ガイドリング２３とを有するものである。
【００１９】
第１中竿３〜穂先竿５はそれぞれ順次元上竿２の穂先側に連結される。各竿体の竿元側端部や穂先側端部外周面は相互に嵌合固定可能な嵌合部分として加工されている。また、各竿体の周面には、それぞれの竿体の穂先側端部外周面に固定ガイドが装着されると共に複数のスライドガイドが配置されている。このスライドガイドは周知のものであり、各竿体周面を軸方向に滑動自在に配置され、所定の軸方向位置において竿体の外径と合致して固定可能となっている。
【００２０】
このような構成の釣竿では、釣りを終えた際には、スライドガイドを穂先側にスライド移動させた上で、各竿体を順次竿元側の竿体の内部に振出形式で収納してコンパクトな状態とする。一方、釣りを行う際には、順次穂先側の竿体を引き出して相互に竿体を連結し、スライドガイドもスライド移動させて固定し、一本の釣竿をして用いることになる。特に、元竿１と元上竿２とにおいては、元上竿２を元竿１の穂先側に引き出した延伸状態と、元上竿２を元竿１内に挿入した収納状態との双方の状態において相互に竿体を固定可能である。そして、釣竿全体の長さを調整しつつ、釣り状況に応じて釣りを行うことが可能となる。
【００２１】
この元竿１と元上竿２との関係において、延伸状態においては、図２に示すように、元上竿２の周面に配置される第１釣糸ガイド１０と第２釣糸ガイド２０がそれぞれ所定の軸方向間隔をもって配置されており、それぞれの釣糸ガイドが元竿１の穂先側に露出した状態で、リールからの釣糸を円滑に穂先側の釣糸ガイドに案内する。
【００２２】
一方、収納状態においては、図３に示すように、第１釣糸ガイド１０は元竿１の割１ａ内に侵入して元竿１の穂先側端部より竿元側へ相対的に移動し、割部１ａから元竿１の外部に露出してリールからの釣糸を案内する。一方の、第２釣糸ガイド２０は元上竿２の穂先側でそのまま釣糸を案内する。
このように、元上竿２の第１嵌合雄部２ａより竿元側の周面に配置された第１釣糸ガイド１０によって、延伸状態においても、リールと最も竿元側に位置する釣糸ガイドとの間の軸方向距離が不当に拡大することはない。また、この第１釣糸ガイド１０が元竿１の割１ａ内に侵入しながら元上竿２が元竿１に対して出し入れされるので、両者の周方向性も自然に決定されて釣り操作がスムーズになる。
【００２３】
［他の実施形態］
（ａ）図５に示すように、元竿１の穂先側端部に金属パイプ３０を更に配置して固定してもよい。この金属パイプ３０は元竿１の割１ａに合致するような軸方向への割を有しており、その軸方向長さは１０〜１５ｍｍ程度である。そして、この割同士が合致した状態で元竿１の周面に接着剤等で固定されている。元竿１の穂先側の強度低下を防止する趣旨である。
【００２４】
なお、この金属パイプ３０は、図５に示すように、元竿１の穂先側端部の一部分のみを覆うようなものに限定されず、元竿１の割１ａが形成されている部分全体を覆うようなパイプとしてもよい。
また、その素材も金属に限定されるものではなく、硬質合成樹脂でもよい。
（ｂ）上記実施形態では、元上竿２の穂先側端部に第２釣糸ガイド２０を配置しているが、このような釣糸ガイド２０は配置しなくてもよい。
【００２５】
【発明の効果】
本発明の釣竿では、釣竿全体の長さを調整しつつ釣糸を円滑に案内可能である。
【図面の簡単な説明】
【図１】本発明の一実施形態を採用した釣竿の全体図。
【図２】図１の元竿１と元上竿２との延伸状態を示した図。
【図３】図１の元竿１と元上竿２との収納状態を示した図。
【図４】図１の第１釣糸ガイド１０を示した図。
【図５】他の実施形態を採用した元竿１の穂先側端部を示した図。
【符号の説明】
１  元竿
２  元上竿
１０  第１ガイドリング
２０  第２ガイドリング
【図１】
0003911170.tif 000002
【図２】
0003911170.tif 000003
【図３】
0003911170.tif 000004
【図４】
0003911170.tif 000005
【図５】
0003911170.tif 000006